(57)【要約】      （修正有）【課題】酒類を水割りやロックなどで飲用する場合に、酒類と、氷と、割液とを別々に準備する必要がなく、手軽に飲用できるアルコール飲料を提供するものであり、氷と酒類とを独立した容器とし、それらの容器が結合、分離可能にセットでき、酒類と氷の種類に応じて、自由な組み合わせで好みの酒類を楽しむことができるアルコール飲料の提供。【解決手段】酒類７と氷３とを独立した２つの容器に入れ、お互いの容器２，６が結合・分離自在に組み合わせることができる組合せ容器に充填されており、飲用時に各々の容器を分離し、酒類と氷とを混合して飲用することを特徴とする氷入りアルコール飲料およびその容器である。また、それらの飲料を分離して各々冷却保管するための開放された冷蔵・冷凍棚および冷凍室室が設けられていることを特徴とするオープン式冷凍冷蔵ショーケース。【選択図】  図１
2007045486.tif 000002
【特許請求の範囲】
【請求項１】
酒類と氷とを独立した２つの容器に入れ、お互いの容器が結合・分離自在に組み合わせることができる組合せ容器に充填され、酒類と氷との氷点の違いを利用し、酒類が未凍結で、かつ氷が凍結状態となる温度で保存され、飲用時に各々の容器を分離し、酒類と氷とを混合して飲用することを特徴とする氷入りアルコール飲料。
【請求項２】
前記の酒類容器に充填される酒類は、予めミネラルウォーターなどで割り水され、適度に酒類濃度が調整されているていることを特徴とする請求項１に記載の氷入りアルコール飲料。
【請求項３】
前記の氷容器に充填される氷は、氷塊であり、茶飲料、果実飲料のいずれかを凍結させた氷塊であることを特徴とする請求項１又は請求項２の項に記載の氷入りアルコール飲料。
【請求項４】
酒類を入れる容器と氷を入れる容器とが独立した２つの容器であり、お互いの容器が結合・分離自在に組み合わせることができる組合せ容器からなることを特徴とする氷入りアルコール飲料容器。
【請求項５】
前記の酒類容器と氷容器との結合・分離手段において、一方の容器の頂部の凸部を設け、他方の容器の底部に凹部を設けて、嵌め合わせにより結合・分離自在となることを特徴とする請求項４に記載の氷入りアルコール飲料容器。
【請求項６】
頂部に蓋付の注ぎ口による凸部を有する円筒状の酒類容器の上部と、飲用カップともなる着脱自在の蓋を有する氷容器の下部の凹部とを嵌め合せて連結することを特徴とする請求項４に記載の氷入りアルコール飲料容器。
【請求項７】
前記の請求項１から請求項６までのいずれかの項に記載の酒類容器を冷蔵・冷凍するための開放された冷蔵・冷凍棚と、前記の請求項１から請求項６までのいずれかの項に記載の氷容器を冷凍するための開放された冷凍室が設けられていることを特徴とするオープン式冷凍冷蔵ショーケース。
【発明の詳細な説明】
【技術分野】
【０００１】
アルコール飲料に関し、特に水割りなどの氷入りのアルコール飲料に関する。
【背景技術】
【０００２】
酒類においては、ウイスキー、ジンなどの洋酒や日本酒、焼酎など、お酒をそのままストレートで飲む場合もあるが、ミネラルウォーターと氷で割って水割りとして飲用したり、氷のみを入れてロックで飲用するなどの氷を用いた飲み方も多い。
【０００３】
このようなお酒の飲み方の場合には、その酒と、ミネラルウォーターと、さらに氷とを別々に準備する必要がある。
【０００４】
そして、飲む度に、お酒と、ミネラルウォーターと、氷を加えて水割りを作り、飲用することとなる。
【０００５】
特に氷は、冷凍庫が必要であり、氷の塊の場合には、アイスピックなどで砕いて用いる必要もあり、面倒である。
【０００６】
また、カップ飲料用の自動販売機などでは、氷入りの飲料が提供されているが、これらは、清涼飲料や果実飲料などである。
【０００７】
また、酒類の自動販売機はあるが、それはあくまでも、缶入りなどの密封容器入りで、酒のみの販売であり、氷入り酒類の販売機はない。
【０００８】
また、水割り用に適した氷の販売はおこなわれているが、大袋であり、冷凍庫で保管が必要であり、一定量をアイスペールなどに入れ、一杯ずつ水割りを作る必要がある。
【０００９】
従来技術としては、例えば、特開平０７−１４６０４４号では、蓋を有する容器内に密封された小さな製氷器が着脱できるようにセットをされた飲用容器であり、この容器に酒類を入れるとともに、製氷器に水を入れて蓋をし、冷凍庫で製氷器の水を凍らせ、その後、製氷器を容器から取り出して氷をその容器に戻すことで、ロックの酒を提供できるようにしたものである。
【００１０】
また、特開平１１−０６３７４９号では、塊氷とフレーク状氷とを独立した状態でコップ挿入寸法大の多空隙ブロック状に凍結させた割り液不要な冷し酒用氷であり、酒類を注ぐとフレーク状氷が解けるので割液の補給が不要としたものであり、ウーロン茶やレモン水などを用いると、酎ハイなども簡単にできるようにしたものである。
【特許文献１】特開平０７−１４６０４４号公報
【特許文献２】特開平１１−０６３７４９号公報
【発明の開示】
【発明が解決しようとする課題】
【００１１】
しかしながら、上記の特開平０７−１４６０４４号では、飲料するたびに、製氷器を容器から取り出して、さらに製氷器内の氷を取りだし、飲用容器内に戻す必要があり、面倒である。
【００１２】
また、特開平１１−０６３７４９号では、実際に飲用するコップの大きさがさまざまであることから、その多空隙ブロック氷のサイズが合わない場合には、やはりアイスピックなどで砕くか、コップの大きさをあわせる必要が生じる。
【００１３】
また、割り液は必要なくなるが、氷と酒類とを別々に準備する面倒は変わらず、ビールなどのように、一杯ずつの飲料として手軽に飲用するものではない。
【００１４】
本発明は、上記の問題に鑑みてなされたものであり、酒類を水割りやロックなどで飲用する場合に、１杯ずつセットされ、酒類と、氷と、割液とを別々に準備する必要がなく、手間がかからずに簡単に、手軽に飲用できるアルコール飲料を提供するものであり、氷と酒類とを独立した容器とし、かつ、それらの容器が結合、分離可能にセットでき、酒類と氷の種類に応じて、自由な組み合わせで好みの酒類を楽しむことができるアルコール飲料を提供でき、また、そのアルコール飲料を提供するための冷凍冷蔵ショーケースを提供するものである。
【課題を解決するための手段】
【００１５】
本発明の請求項１は、酒類と氷とを独立した２つの容器に入れ、お互いの容器が結合・分離自在に組み合わせることができる組合せ容器に充填され、酒類と氷との氷点の違いを利用し、酒類が未凍結で、かつ氷が凍結状態となる温度で保存され、飲用時に各々の容器を分離し、酒類と氷とを混合して飲用することを特徴とする氷入りアルコール飲料である。
【００１６】
本発明の請求項２は、前記の酒類容器に充填される酒類は、予めミネラルウォーターなどで割り水され、適度に酒類濃度が調整されているていることを特徴とする請求項１に記載の氷入りアルコール飲料である。
【００１７】
本発明の請求項３は、前記の氷容器に充填される氷は、氷塊であり、茶飲料、果実飲料のいずれかを凍結させた氷塊であることを特徴とする請求項１又は請求項２の項に記載の氷入りアルコール飲料である。
【００１８】
本発明の請求項４は、酒類を入れる容器と氷を入れる容器とが独立した２つの容器であり、お互いの容器が結合・分離自在に組み合わせることができる組合せ容器からなることを特徴とする氷入りアルコール飲料容器である。
【００１９】
本発明の請求項５は、前記の酒類容器と氷容器との結合・分離手段において、一方の容器の頂部の凸部を設け、他方の容器の底部に凹部を設けて、嵌め合わせにより結合・分離自在となることを特徴とする請求項４に記載の氷入りアルコール飲料容器である。
【００２０】
本発明の請求項６は、頂部に蓋付の注ぎ口による凸部を有する円筒状の酒類容器の上部と、飲用カップともなる着脱自在の蓋を有する氷容器の下部の凹部とを嵌め合せて連結することを特徴とする請求項４に記載の氷入りアルコール飲料容器である。
【００２１】
本発明の請求項７は、前記の請求項１から請求項６までのいずれかの項に記載の酒類容器を冷蔵・冷凍するための開放された冷蔵・冷凍棚と、前記の請求項１から請求項６までのいずれかの項に記載の氷容器を冷凍するための開放された冷凍室が設けられていることを特徴とするオープン式冷凍冷蔵ショーケースである。
【発明の効果】
【００２２】
本発明では以下のような効果がある。
【００２３】
１）酒類と氷を独立して組合せたので、飲用時に簡単に混合して飲用でき、酒類と氷を別々に準備する必要なく、１杯ずつ手軽に飲用できる。
【００２４】
２）酒類の氷点が氷よりも低いので、氷が凍結状態でも酒類が未凍結状態で保存ができる。
【００２５】
３）酒類の濃度を調整することで好みに応じた水割りを提供できる。
【００２６】
４）氷を茶飲料や果実飲料の氷とすることで、多種類のアルコール飲料とすることができる。
【００２７】
５）凹凸による組合せにより、シンプルで陳列しやすく、見栄えのよい組合せ容器にできる。
【００２８】
６）酒類容器と、氷容器とを別々に陳列することができ、消費者が、酒類の種類と氷の種類を自由に選んで、組み合わせて購入することができるオープン式の冷凍冷蔵ショーケースとなる。
【発明を実施するための最良の形態】
【００２９】
本発明による一実施の形態を図面を用いて説明する。
【００３０】
図１は、本発明による氷入りアルコール飲料容器の実施例を示す図である。
【００３１】
上部の容器２が飲用カップ部となる氷容器２であり、下部の容器６が酒類容器である。
【００３２】
該氷容器２は、上部に蓋１を有する円筒状容器であり、その内部に氷塊３（球状に示す部分が氷を示す。
【００３３】
）が充填される。
【００３４】
この氷容器は、上部の蓋１と氷塊３を取り除き、飲用カップとして使用できる。
【００３５】
該酒類容器６は、上部にキャップを有する注ぎ口８が設けられた円筒状の容器であり、その内部に酒類７が充填される。
【００３６】
そして、氷容器２の底面は、酒類容器６の頂部の凸形状に合わせて、凹部形状となっており、互いに嵌め合わせることができるようになっている。
【００３７】
図２は、本発明による氷入りアルコール飲料の実施例を示す断面構成図である。
【００３８】
上部氷容器２内に氷塊３が充填され、下部の酒類容器６内に酒類７が充填される。
【００３９】
氷容器２と、酒類容器６を組み合わせると、図のように、ほぼ円筒形状となり、概観がシンプルとなり、通常の缶入り飲料などと同様に扱うことが可能となり、外面に宣伝、広告を印刷できる。
【００４０】
該氷塊３は、酒類に混合できるものであればいずれでも良く、水を凍結させたもののほかに、ウーロン茶などの茶飲料や、レモン汁などの果実飲料を凍結させたものでもよい。
【００４１】
ハーブティーなどのように香りを付加したものなどでも良い。
【００４２】
その形状は、氷容器２に入るものであればいずれの形状でも良く、図のように球状やブロック形状にしたものでも良く、砕いたままの形状でも良い。
【００４３】
また、該酒類は、氷を入れて飲用される酒類であればいずれでも良く、ウイスキー、ジン、バーボン、ワインなどの洋酒や清酒、焼酎、泡盛などの日本酒などでも良い。
【００４４】
また、水割りとする場合には、予め、ミネラルウォーターで薄めたものを充填する。
【００４５】
また、氷容器２と酒類容器６との組合せ手段として、本実施例では、上下に組合わせてセットとしたが、左右に並べるなどその他の組合わせ方でも良い。
【００４６】
また、組合わせの連結手段としては、凹凸の嵌め合わせ手段を用いたが、その他の方法でも良い。
【００４７】
例えば、ねじによる連結手段や、フックなどによる係止手段や、磁石などによる接着手段や、粘着テープなどによる粘着手段などでも良い。
【００４８】
また、酒類と氷の氷点の違いがあるので、氷が凍結する温度以下で保管しても、酒類の氷点以上であれば凍結しないことから、酒類容器と氷容器を結合した状態で適度のマイナス温度で保管しても酒類は凍結しない。
【００４９】
例えば、酒類のアルコール濃度が２０度の場合には、マイナス１０度で保管しても凍結しない。
【００５０】
さらにアルコール濃度が４０度の場合にはマイナス２０度で保管しても凍結しない。
【００５１】
図３は、本発明によるオープン式冷凍・冷蔵ショーケースの実施例を示す図である。
【００５２】
このショーケース１０は、上部の冷凍・冷蔵棚１１と、下部の冷凍室１２に分かれている。
【００５３】
上部の冷凍・冷蔵棚１１は、酒類容器を陳列する棚であり、酒類のアルコール濃度に従い、棚の段によって温度を調整できるようになっている。
【００５４】
アルコール度数の低い、清酒やワインなどは、プラス１０度〜０度に設定されている。
【００５５】
アルコール度数の高い、ウイスキーや泡盛などはプラス１０度〜１０度に設定される。
【００５６】
下部の冷凍庫は、氷容器６が陳列され、マイナス２０度に設定されている。
【００５７】
このような、酒類容器６と氷容器２とが別々に分離して陳列されていることにより、消費者は、自分の好みの酒類と、氷（茶飲料や果実飲用の氷を含む）とを各々選択し、組合わせて購入することが可能となる。
【００５８】
また、好みにより、濃くしたい場合には、酒類容器を２個、３個購入することもできる。
【００５９】
また、氷容器のみの購入も可能となり、消費者のさまざまな好みに対応した酒類の販売を可能とする新しい販売方法を提供できるものである。
【００６０】
行楽地などでのお酒の飲食においても、酒類と、割り液と、氷を別々の購入する面倒がなく、また少量においても、対応でき、缶ビールなどと同じ感覚で、ロックや水割りを楽しむことが可能となるものである。
【００６１】
また、家庭での飲料においても、冷凍・冷凍庫に保管しておくことで、いつでも手軽に、簡単にロックや水割りを楽しむことが可能となる。
【図面の簡単な説明】
【００６２】
【図１】本発明による氷入りアルコール飲料容器の実施例を示す図である。
【図２】本発明による氷入りアルコール飲料の実施例を示す図である。
【図３】本発明によるオープン式冷凍・冷蔵ショーケースの実施例を示す図である。
【符号の説明】
【００６３】
１  蓋
２  氷容器
３  氷塊
４  凹部
５  連結部
６  酒類容器
７  酒類
８  凸部（注ぎ口）
１０  オープン式冷凍冷蔵ショーケース
１１  冷凍・冷凍棚
１２  冷凍室
【図１】
2007045486.tif 000003
【図２】
2007045486.tif 000004
【図３】
2007045486.tif 000005